(57)【要約】【課題】錘の切り込み部を開くときに、錘が移動せず、切り込み部を一様に開くことができる釣り用錘の開き具を提供することである。【解決手段】釣り用錘の開き具の挟持片２ｂの挟持部２ｃに錘Ｗを配置して、操作部２ａ、３ａで挟持部２ｃ、３ｃを閉じて錘Ｗを挟持する。この時、挟持片３ｂの割り刃５が錘Ｗの切り込み部Ｗ１に差し込まれ、峰部５ａが侵入した後両側の傾斜面５ｂ、５ｃが切り込み部Ｗ１の内側に当接しながら侵入し開き、一方、挟持片２ｂの、前記挟持片３ｂの割り刃５の対向位置には、多数の凹凸が形成された挟持面２ｆが形成されており錘Ｗが挟持片２ｂ、３ｂで挟持されると挟持面２ｆの多数の凹凸が錘Ｗの外側に食い込む。さらに、挟持片３ｂの割り刃５の元部側端部に形成した受け部６ａが球状の錘が転がるように移動したときでも、その外側に当接し、移動を阻止する。【選択図】        図３
2004236603.tif 000002
【特許請求の範囲】
【請求項１】
一対の挟持片で釣り用錘を挟んで前記釣り用錘の切り込み部を開く釣り用錘の開き具において、前記一対の挟持片の一方に、前記挟持片の長手方向に延びる割り刃を設けると共に、前記割り刃の長手方向の端部に受け部を設けたことを特徴とする釣り用錘の開き具。
【発明の詳細な説明】
【０００１】
【発明の属する技術分野】
本発明は、一対の挟持片で釣り用錘を挟んで前記釣り用錘の切り込み部を開く釣り用錘の開き具の改良に関する。
【０００２】
【従来の技術】
【特許文献１】実開昭５９−１４３６５３号公報
【０００３】
【特許文献１】には、一方の挟部が鋭角の挟部となり他方の挟部が平面の挟部となった釣り用錘の鉛玉に使用するヤットコが示されている。
【０００４】
特許文献１のように一方の挟部が鋭角の挟部となった釣り用錘の開き具は、錘の切り欠きに鋭角の挟部が差し込まれて容易に錘の切り欠きを開くことが出来るが、この特許文献１のように鋭角の挟部が長手方向に延びていると、鋭角の挟部が切り欠きに差し込まれるにつれて球状の錘が転がるように移動してしまうため、切り欠きが一様に開かず、切り欠きの一側が広く他側が狭く開いた状態になることがあった。
したがって、この様な状態に開いた釣り用錘を釣り糸に取り付けようとしてもしっかりと釣り糸を挟持できないことがあった。
【０００５】
【発明が解決しようとする課題】
解決しようとする課題は、
球状の錘の切り欠き（切り込み部）が一様に開かず、切り欠きの一側が広く他側が狭く開いた状態になることである。
【０００６】
本発明の目的は前記欠点に鑑み、錘の切り欠き（切り込み部）を開くときに、錘が移動せず、切り欠きを一様に開くことができる釣り用錘の開き具を提供することである。
【０００７】
【課題を解決するための手段】
上記課題を解決するために、
請求項１に係わる本発明は、一対の挟持片で釣り用錘を挟んで前記釣り用錘の切り込み部を開く釣り用錘の開き具において、前記一対の挟持片の一方に、前記挟持片の長手方向に延びる割り刃を設けると共に、前記割り刃の長手方向の端部に受け部を設けたこと要旨とするものである。
【０００８】
【発明の実施の形態】
以下、図示の実施例によって本発明を説明すると、本発明は、図１から図５で、図１は釣り用錘の開き具の側面図、図２は挟持片の拡大断面図、図３は使用状態の挟持片の部分斜視図、図４は釣り用錘を開いた状態の挟持片の拡大断面図、図５は錘を開いた状態の挟持片の部分拡大側面図である。
【０００９】
図１において、本発明の釣り用錘の開き具１は、一対の挟持桿２，３をそれぞれの中間で交差し、この交差部分を軸４で回動自在に軸支している。
軸４の先端側が一対の挟持片２ｂ、３ｂとなり、軸４の手元側に一対のハンドル状の操作部２ａ、３ａが形成され、操作部２ａ、３ａを互いに離れる方向に操作（回動）すると挟持片２ｂ、３ｂが互いに離れて開いた状態となり、操作部２ａ、３ａを互いに接近させる方向に操作（回動）すると挟持片２ｂ、３ｂが互いに接近し閉じた状態となる。
【００１０】
挟持桿２，３および軸４は、ステンレス、チタン合金等の金属で形成され、一般の錘Ｗを形成する金属の鉛より大きい硬度を有している。
操作部２ａ、３ａには、握りやすいように柔軟性を有する合成樹脂のカバーが取り付けられている。
【００１１】
一対の挟持片２ｂ、３ｂは、軸４に近い元部側に両挟持片２ｂ、３ｂの刃が噛み合う切断部７を有し、挟持片２ｂ、３ｂの開放端である先端側において、一方の挟持片３ｂの挟持部３ｃ側に割り刃５を形成し、対面する他方の挟持片２ｂの挟持部２ｃと共に釣り用錘を挟圧して切り込み部を開くようになっている。
【００１２】
さらに図２、３のように挟持桿２、３の一方の挟持片３ｂには、その挟持部３ｂに挟持片３ｂの先端から元部側（軸４側）に向かう長手方向に割り刃５が形成されている。
この割り刃５は尖端が錘の切り込み部に入る程度にとがった峰部５ａが挟持片３ｂの長手方向に延びており、その左右両側が徐々に挟持片３ｂの背面３ｅに向けて幅広になるように傾斜する傾斜面５ｂ、５ｃが形成されて、側面３ｄに至る。
割り刃５は、挟持片３ｂの先端から元部側に延設され、受け部６ａに突き当り、これより元部側の挟持部３ｃは多数の挟持片３ｂの長手方向を横切る方向に延びる凹凸が形成された挟持面３ｆが形成されている。
挟持面３ｆは、峰部５ａと同様の高さを有し、その部分の側面３ｄは、峰部５ａが形成された部分の側面３ｄより幅広に形成されている。
【００１３】
受け部６ａは、割り刃５の元部側の端部に設けられ、その傾斜面５ｂ、５ｃの端部から挟持片３ｂの長手方向に交差する方向の面で形成され、挟持部３ｃ及び側面３ｄに達するように形成されている。
本実施形態では、挟持片３ｂの長手方向に直行する平面で形成されているが、受け部６ａはこれに限らず、錘Ｗの切り込み部を割り刃５で開くときに、錘Ｗの外側が当接するもので、錘Ｗの移動を止める移動阻止体が形成されていればよい。
したがって、挟持面３ｆのように挟持片３ｂ先端に向けて平面状に形成されているのに比べてこれより先端側に向かうように傾斜した面で形成でき、さらに、面でなく、凹凸でもよい。
【００１４】
一方、他方の挟持片２ｂは、挟持片３ｂに向かう対向面から成る挟持部２ｃを有し、この挟持部２ｃは、多数の挟持片２ｂの長手方向を横切る方向に延びる凹凸が形成された挟持面２ｆが形成されている。
この凹凸が形成された挟持面２ｆは、挟持片３ｂの割り刃５および多数の凹凸が形成された挟持面２ｆに対向する範囲に合致して設けられている。
【００１５】
この様に形成した釣り用錘の開き具を使用するときは、図１の二点鎖線で示したように、操作部２ａ、３ａを開いて錘Ｗが挟持できるように挟持片２ｂ、３ｂを開く。
次に、図３のように、挟持片２ｂの挟持部２ｃに錘Ｗを切り込み部Ｗ１を対向する挟持片３ｂの割り刃５の長手方向に合わせて配置する。
この時、割り刃５が挟持片３ｂの長手方向に延びて形成されているため錘Ｗの位置合わせがし易く、切り込み部を開いたときに錘Ｗが広がる方向を、この広がりに対向して指で押さえ易いため、開き操作中に錘Ｗを落としにくい。
そして、錘Ｗが落ちないように手で押さえながら図４、図５のように、操作部２ａ、３ａを閉じて挟持部２ｃ、３ｃを閉じて錘Ｗを挟持する。
【００１６】
この時、挟持片３ｂの割り刃５が錘Ｗの切り込み部Ｗ１に差し込まれ、峰部５ａが侵入した後両側の傾斜面５ｂ、５ｃが切り込み部Ｗ１の内側に当接しながら侵入してこれを開き、一方、挟持片２ｂの、前記挟持片３ｂ側の割り刃５の対向位置には、多数の凹凸が形成された挟持面２ｆが形成されているので錘Ｗが挟持片２ｂ、３ｂで挟持されると挟持面２ｆの多数の凹凸が錘Ｗの外側に食い込むため、錘Ｗの移動を防止する。
さらに、挟持片３ｂの割り刃５の元部側端部に形成した受け部６ａが球状の錘が転がるように移動したときでも、その外側に当接し、移動を阻止する。
とくに挟持片２ｂ、３ｂが軸４を中心に回動して錘Ｗを挟持する場合、錘Ｗは割り刃５が元部側から当たり始めて錘Ｗを押さえ込み、錘Ｗは元部側へ転がるように逃げるため、受け部６は、回動軸４側の元部側に設けるとその移動を阻止して切り込み部Ｗ１の開き方をその一側と他側で異ならないように一様にすることができる。
【００１７】
本発明の釣り用錘の開き具は、この実施形態に限定されず、例えば割り刃５は挟持片の先端に設けず、中間位置に設けて、その先端側と元部側に挟持面を形成しても良い。
さらに、受け部は、割り刃の元部側に設けたが、先端側に設けてもよく、割り刃の長手方向の少なくとも一方の端部に設ければよい。
【００１８】
【発明の効果】
本発明は、以上説明したような形態で実施され、以下に記載されるような効果を奏する。
【００１９】
錘の切り込み部を開くときに、錘が移動せず、切り込み部の開き方を一様にすることができる。
【図面の簡単な説明】
【図１】釣り用錘の開き具の側面図である。
【図２】挟持片の拡大断面図である。
【図３】使用状態の挟持片の部分斜視図である。
【図４】釣り用錘を開いた状態の挟持片の拡大断面図である。
【図５】錘を開いた状態の挟持片の部分拡大側面図
【符号の説明】
１  釣り用錘の開き具
２ｂ、３ｂ  挟持片
２ｃ、３ｃ  挟持部
４  軸
５  割り刃
６ａ  受け部
【図１】
2004236603.tif 000003
【図２】
2004236603.tif 000004
【図３】
2004236603.tif 000005
【図４】
2004236603.tif 000006
【図５】
2004236603.tif 000007